(57)【要約】【課題】患者の手指に対して手軽に装着および取り外しが可能であり、また睡眠中において無意識に脱落するのを防止できる安全性の高い手指の拘縮予防用具を提供すること。【解決手段】手指の拘縮予防用具１は、可撓性の素材により中空状に形成され、患者の手指を覆うように装着することで前記手指の屈曲を阻止する中空状部材２と、前記中空状部材２の端部に取り付けられた第１ループ状部材３ａおよび第２ループ状部材３ｂとによる脱落防止部材とにより構成されている。前記第１と第２のループ状部材３ａ，３ｂは、前記中空状部材２が装着された手指の左右に隣接する手指に、それぞれ囲繞するようにして装着されることで、前記中空状部材２が脱落するのを効果的に防止する。【選択図】図２
0003155865.tif 000002
【実用新案登録請求の範囲】
【請求項１】
可撓性の素材により中空状に形成され、患者の手指を覆うように装着することで前記手指の屈曲を阻止する中空状部材と、
前記中空状部材の一部に取り付けられ、患者の指掌の一部に係止されて前記中空状部材が前記手指への装着状態から脱落するのを防止する可撓性の素材によりループ状に形成された脱落防止部材と、
が具備されていることを特徴とする手指の拘縮予防用具。
【請求項２】
前記中空状部材の一部に取り付けられる脱落防止部材は、前記中空状部材が装着された手指の左右に隣接する手指、もしくは一方に隣接する手指を囲繞する第１ループ状部材および第２ループ状部材により構成されていることを特徴とする請求項１に記載された手指の拘縮予防用具。
【請求項３】
前記中空状部材の一部に取り付けられる脱落防止部材は、前記中空状部材が手指に装着された状態において、手首を経由して、手の掌側と手の甲側を迂回できるループ状部材により構成されていることを特徴とする請求項１に記載された手指の拘縮予防用具。
【考案の詳細な説明】
【技術分野】
【０００１】
この考案は、いわゆるばね指と称される炎症が生じた患者が使用するに適した手指の拘縮予防用具に関する。
【背景技術】
【０００２】
前記したばね指と称される炎症は、腱鞘炎が進行し例えば睡眠中における手指の屈曲状態の継続により、手指が屈曲状態のまま腱が拘縮されて、手指に伸展障害を残すことに起因する。
【０００３】
その予防手段として、患者の手の掌から指に沿って板状体または棒状体を当接し、それに包帯を巻き付けて手指の屈曲を制限する対策が従来より採用されている。
これによれば、患者の指掌を伸ばした状態に維持できるので、睡眠中に手指が屈曲状態に拘縮されるのを予防することができる。
【０００４】
しかしながら、前記したような予防手段においては、患者の手の掌から指に沿って包帯を巻き付ける場合、ならびにこれを取り外す場合に、必ず介護者の手を借りなければならず、また不使用時における包帯の絡みの防止などの扱いに手間がかかり、きわめて使い勝手が悪いものであった。
また前記した予防手段によると、患者の手の掌から指先までの全体にわたって包帯により束縛されるため、これにより受ける患者の違和感が強いという問題点も抱えている。
【０００５】
また、別の予防手段として、ばね指が発症した手指を弾性を有するテープで巻き着けて指掌を伸ばした状態に維持する手段も採用されるが、これによるとテープが巻き着けられた手指に血流障害が発生して、手指が紫色に変色するなど健康上に障害を与えるという問題が発生する。したがって、医師の多くはステロイド等を含む注射による治療を勧める傾向にある。
【０００６】
そこで、前記した問題点を解消するために、手指の長さ程度の短冊状の板ばねを用いた関節装具が、次に示す先行技術文献に示されている。
これによると、前記板ばねの先端部に指先を包囲する指先受け部が取り付けられ、また板ばねの基端部には手指の根元部分に当接する手掌パッドが取り付けられると共に、前記板ばねの中央部には手指の中節部に巻き付けられるバンドが取り付けられた構成にされている。
【先行技術文献】
【特許文献】
【０００７】
【特許文献１】実開昭６４−５０８１７号公報
【０００８】
前記した関節装具によると、板ばねの中央部に取り付けられた布製のバンドを手指の中節部に巻き付けることにより、板ばねを主体とした関節装具を手指に沿って装着し、手指を伸ばした状態に拘束するものである。
これによると関節装具を一本のバンドにより手指に装着するものであるために、睡眠中において手指から外れやすく、また前記板ばねを構成する金属製の素材により睡眠中に不用意に怪我をするなどの問題も発生し得る。
【考案の概要】
【考案が解決しようとする課題】
【０００９】
この考案は、前記した従来の関節装具の問題点に着目してなされたものであり、患者の手指に対して手軽に装着および取り外しが可能であり、また睡眠中において無意識に脱落するのを防止できる安全性の高い手指の拘縮予防用具を提供することを課題とするものである。
【課題を解決するための手段】
【００１０】
前記した課題を解決するためになされたこの考案にかかる手指の拘縮予防用具は、可撓性の素材により中空状に形成され、患者の手指を覆うように装着することで前記手指の屈曲を阻止する中空状部材と、前記中空状部材の一部に取り付けられ、患者の指掌の一部に係止されて前記中空状部材が前記手指への装着状態から脱落するのを防止する可撓性の素材によりループ状に形成された脱落防止部材とが具備されていることを特徴とする。
【００１１】
この場合、一つの好ましい形態においては、前記中空状部材の一部に取り付けられる脱落防止部材は、前記中空状部材が装着された手指の左右に隣接する手指、もしくは一方に隣接する手指を囲繞する第１ループ状部材および第２ループ状部材により構成される。
【００１２】
また、他の一つの好ましい形態においては、前記中空状部材の一部に取り付けられる脱落防止部材は、前記中空状部材が手指に装着された状態において、手首を経由して手の掌側と手の甲側を迂回できるループ状部材により構成される。
【考案の効果】
【００１３】
前記した構成の手指拘縮予防用具によると、可撓性の素材により形成され中空状部材と、可撓性の素材によりループ状に形成された脱落防止部材とにより構成されているので、患者の手指に対して手軽に装着および取り外しが可能であり、前記中空状部材の作用により、手指が屈曲状態で拘縮されるのを効果的に防止させることができる。
【００１４】
また、ループ状に形成された脱落防止部材の作用により、睡眠中において前記予防用具が無意識のうちに脱落するのを防止できる。また、先行技術文献に示されたように金属製の板ばね等を用いる必要もないので、睡眠中において予防用具により怪我をするなどの問題も解消することができる。
【図面の簡単な説明】
【００１５】
【図１】この考案にかかる手指拘縮予防用具の第１の実施の形態を示した正面図である。
【図２】図１に示す予防用具を手指に装着した例を示す正面図である。
【図３】この考案にかかる手指拘縮予防用具の第２の実施の形態を示した正面図である。
【図４】図３に示す予防用具を手指に装着した例を示す正面図である。
【考案を実施するための形態】
【００１６】
以下、この考案にかかる手指の拘縮予防用具について、図に示す実施の形態に基づいて説明する。図１に示す第１の実施の形態は、患者の人差指、中指、薬指もしくは小指に装着することで、前記手指が屈曲状態で拘縮されるのを防止できる機能を果たすものであり、図２は、これを左手ｈの中指に装着した例を示している。
【００１７】
この第１の実施の形態に示す手指の拘縮予防用具１は、図１に示すように患者の手指を覆うように装着される中空状部材２と、この中空状部材２の長手方向の端部において、両外側に向かって取り付けられた第１ループ状部材３ａおよび第２ループ状部材３ｂからなる脱落防止部材とにより構成されている。
【００１８】
前記中空状部材２は、例えば織布または不織布等の可撓性の素材、好ましくは図に示すように毛糸やリリアンと称される繊維糸などの可撓性の素材を編み込むことにより中空状に形成されており、図２にも示されているように、その内径が平均的な手指の直径ほどの大きさで、その長さが手指の大半が隠れる程度の寸法に形成されている。
【００１９】
前記した構成の中空状部材２によると、その内径および長さが前記した寸法になされているので、これを構成する素材に多少の可撓性を有するものを用いても、患者の手指をこの中空状部材２を覆うように装着することで、前記手指の屈曲を効果的に阻止するように機能する。
【００２０】
一方、中空状部材２の長手方向の端部において、両外側に向かって取り付けられた第１ループ状部材３ａおよび第２ループ状部材３ｂも、前記した中空状部材２と同様の素材により形成されている。
【００２１】
そして、図２に示したように前記中空状部材２を例えば左手ｈの中指に装着した場合には、中指の左右に隣接する人差指および薬指に対して、前記した第１と第２のループ状部材３ａ，３ｂをそれぞれ囲撓するようにして装着することができる。これにより、前記中空状部材２が前記手指への装着状態から脱落するのを効果的に防止することができる。
【００２２】
図１および図２に示す第１の実施の形態においては、中空状部材２の左右に脱落防止部材として機能する第１と第２のループ状部材３ａ，３ｂが形成されているので、中空状部材２を図２に示すように中指に、また薬指に装着する場合においては、２つのループ状部材３ａ，３ｂを脱落防止部材として効果的に利用することができる。
【００２３】
また、前記中空状部材２を人差指もしくは小指に装着する場合であっても、いずれか一方に隣接する手指に対して、前記第１ループ状部材３ａもしくは第２ループ状部材３ｂのいずれかを装着することができるので、同様に中空状部材２の脱落防止部材として機能させることができる。
【００２４】
なお、図１および図２に示す第１の実施の形態においては、脱落防止部材としての第１ループ状部材３ａおよび第２ループ状部材３ｂは、中空状部材２の一端部にそれぞれ対向するようにして形成されているが、これらは中空状部材２の例えば中央部付近に形成されていてもよい。また、中空状部材２の両端部にそれぞれ第１および第２ループ状部材３ａ，３ｂが対向するようにして形成されていてもよい。
【００２５】
次に、図３に示す第２の実施の形態は、患者の親指に装着することで、親指が屈曲状態で拘縮されるのを防止できる機能を果たすものであり、図４はこれを左手ｈの親指に装着した例を示している。
【００２６】
この第２の実施の形態に示す手指の拘縮予防用具１は、図３に示すように患者の親指を覆うように装着される中空状部材２と、この中空状部材２の長手方向の端部に取り付けられた１つのループ状部材３ｃからなる脱落防止部材とにより構成されている。
【００２７】
なお、図３および図４に示す実施の形態においては、前記中空状部材２の端部には、中空状部材２から一体に三角形状に延出するカバー部材２ａが形成されており、この三角形状のカバー部材２ａは、図４に示すように中空状部材２を親指に装着した場合において、親指の甲側をカバーするように機能する。
【００２８】
図３および図４に示した第２の実施の形態においても、前記中空状部材２は、例えば織布または不織布等の可撓性の素材、好ましくは図に示すように毛糸やリリアンと称される繊維糸などの可撓性の素材を編み込むことにより中空状に形成されており、図４にも示されているように、その内径が平均的な親指の直径ほどの大きさで、その長さが親指の大半が隠れる程度の寸法に形成されている。
【００２９】
これにより、前記中空状部材２を構成する素材に多少の可撓性を有するものを用いても、患者の親指をこの中空状部材２で覆うように装着することで、前記親指の屈曲を効果的に阻止するように機能する。
【００３０】
一方、前記中空状部材２の脱落防止部材として機能するループ状部材３ｃは、中空状部材２の端部と三角形状になされた前記カバー部材２ａの端部との間にそれぞれの一端が取り付けられており、このループ状部材３ｃも前記した中空状部材２と同様の素材により形成されている。
【００３１】
そして、図４に示すように前記中空状部材２を親指に装着した状態において、前記ループ状部材３ｃは手首を経由して手の掌側と手の甲側を迂回するようにして装着され、これにより中空状部材２の脱落防止部材として作用する。
【００３２】
以上説明した中空状部材２は、可撓性の素材により形成されているので、程度によっては手指の屈曲の防止効果を十分に果たせない場合が生ずる。
この場合においては、中空状部材２の長手方向に沿って、縦長状の補強部材、例えば合成樹脂からなる補強部材を編み込むなどの手段により配置することで、前記課題を解決することができる。
【００３３】
また、前記した中空状部材２の全体を、例えばポリプロピレンなどの可撓性の合成樹脂を用いて形成しても同様の作用効果を得ることができる。
【００３４】
なお、この考案に係る手指の拘縮予防用具によると、前記したばね指が発症した患者のみならず、リューマチが発症して手指に拘縮が生ずる患者に対しても、好適に利用することができる。
【符号の説明】
【００３５】
１    手指の拘縮予防用具
２    中空状部材
３ａ  第１ループ状部材（脱落防止部材）
３ｂ  第２ループ状部材（脱落防止部材）
３ｃ  ループ状部材（脱落防止部材）
【図１】
0003155865.tif 000003
【図２】
0003155865.tif 000004
【図３】
0003155865.tif 000005
【図４】
0003155865.tif 000006